【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
放射線療法患者プラットフォームシステムであって、
基部に結合される放射線透過性患者プラットフォームであって、前記患者プラットフォームは、下側部分に結合される上側部分を備える、患者プラットフォームと、
前記患者プラットフォームに結合される軸方向駆動システムであって、前記軸方向駆動システムは、前記基部に対して軸方向に前記患者プラットフォームを移動させるように構成される、軸方向駆動システムと、
前記患者プラットフォームに結合される側方駆動システムであって、前記側方駆動システムは、前記基部に対して横方向に前記患者プラットフォームを移動させるように構成される、側方駆動システムと、
前記患者プラットフォームに結合される垂直駆動システムであって、前記垂直駆動システムは、前記基部に対して垂直方向に前記患者プラットフォームを移動させるように構成され、前記垂直駆動システムは、前記患者プラットフォームに結合される第１および第２の鋏要素を備える、垂直駆動システムと、
前記上側部分および下側部分の第１の端部において前記上側部分を前記下側部分に結合するヨー枢動部と、
前記上側部分の第１の端部に結合されるヨー駆動システムであって、前記ヨー駆動システムは、前記ヨー枢動部を中心として前記下側部分に対して前記上側部分の向きを変えるように構成される、ヨー駆動システムと、
前記プラットフォームに結合されるピッチ駆動システムであって、前記ピッチ駆動システムは、ピッチ枢動部を中心として前記下側部分に対して前記上側部分を傾斜させるように構成される、ピッチ駆動システムと
を備える、システム。
【請求項２】
前記ピッチ駆動システムは、前記ヨー駆動システムに結合される第１のウェッジと、前記上側部分に結合される第２のウェッジとを備える、請求項１に記載のシステム。
【請求項３】
前記軸方向駆動システムは、前記下側部分と前記側方駆動システムとの間に結合され、前記側方駆動システムは、前記軸方向駆動システムと前記ヨー駆動システムとの間に結合され、前記ヨー駆動システムは、前記側方駆動システムと前記ピッチ駆動システムとの間に結合され、前記ピッチ駆動システムは、前記ヨー駆動システムと前記上側部分との間に結合される、請求項１に記載のシステム。
【請求項４】
前記軸方向駆動システムは、前記下側部分の第１の端部に結合される軸方向駆動要素と、前記軸方向駆動要素に結合される軸方向レールとを備える、請求項１に記載のシステム。
【請求項５】
前記側方駆動システムは、前記患者プラットフォームに結合される側方駆動要素と、前記側方駆動要素に結合される側方レールとを備える、請求項１に記載のシステム。
【請求項６】
前記垂直駆動システムは、前記第１の鋏要素に結合される第１の線形ねじを備える垂直駆動要素を備える、請求項１に記載のシステム。
【請求項７】
前記垂直駆動要素は、前記第２の鋏要素に結合される第２の線形ねじを備える、請求項６に記載のシステム。
【請求項８】
患者の第１の着目領域を照射するシステムであって、
ガントリの患者領域の中へ移動するように構成される放射線療法患者プラットフォームであって、前記ガントリは、それを中心として前記ガントリが回転するアイソセンタ点と、前記患者領域の第１の縦軸と平行に延在する、前記アイソセンタ点を備えるアイソセンタ軸とを画定し、前記患者プラットフォームは、前記アイソセンタ軸上に前記第１の着目領域を位置付けるように移動するようにさらに構成される、放射線療法患者プラットフォームと、
前記アイソセンタ軸上の前記第１の着目領域に放射線ビームを放出するように構成される放射線源と
を備える、システム。
【請求項９】
前記患者プラットフォームが、前記アイソセンタ軸上に前記第１の着目領域を位置付けるように移動するように構成されることは、前記患者プラットフォームが、横方向に移動するように構成されることを含む、請求項８に記載のシステム。
【請求項１０】
前記患者プラットフォームは、ピッチおよびヨーのうちの少なくとも１つに回転する、請求項８に記載のシステム。
【請求項１１】
前記患者プラットフォームは、前記アイソセンタ軸上で前記第１の着目領域の第２の縦軸を整合させるようにさらに構成される、請求項１０に記載のシステム。
【請求項１２】
前記患者プラットフォームは、前記アイソセンタ軸上に前記第１の着目領域および第２の着目領域を交互に位置付けるように移動するようにさらに構成される、請求項８に記載のシステム。
【請求項１３】
前記患者プラットフォームは、前記アイソセンタ軸上で前記第２の着目領域の第３の縦軸を整合させるようにさらに構成される、請求項１１に記載のシステム。
【請求項１４】
放射線療法患者プラットフォームシステムであって、
プラットフォームの縦軸と平行な縦軸に沿って位置する放射線不透過性伸長要素を備える放射線透過性患者プラットフォームと、
マルチリーフコリメータに結合される放射線源であって、前記放射線源は、前記コリメータを通して第１のビームを放出し、前記伸長要素を照射するように構成される、放射線源と、
前記コリメータに面し、前記第１のビームを受容するように構成される検出器と、
コントローラであって、前記コントローラは、前記検出器を使用して、前記伸長要素の第１の場所を決定することと、前記伸長要素の第１の場所と第２の場所との間の前記伸長要素の場所の変化を計算することであって、前記第２の場所は、加重プラットフォームに対応する、ことと、前記伸長要素の場所の変化を使用して、前記プラットフォームの場所の変化を決定することとを行うように構成される、コントローラと
を備える、システム。
【請求項１５】
前記患者プラットフォームは、患者支持体を備える第１の側面と、前記第１の側面の反対側の第２の側面とを備え、前記伸長要素は、前記患者プラットフォームの第２の側面に結合される、請求項１４に記載のシステム。
【請求項１６】
前記伸長要素を前記患者プラットフォームに結合する放射線透過性支持要素をさらに備える、請求項１４に記載のシステム。
【請求項１７】
前記伸長要素は、金属ロッドを備える、請求項１４に記載のシステム。
【請求項１８】
前記放射線透過性患者プラットフォームは、高エネルギー光子に対して実質的に透過性である第１の材料を含み、前記放射線不透過性伸長要素は、前記高エネルギー光子に対して実質的に不透過性である第２の材料を含む、請求項１４に記載のシステム。
【請求項１９】
患者に起因する放射線療法患者プラットフォームの場所の変化を定量化する方法であって、
放射線源からマルチリーフコリメータを通して第１のビームを放出し、放射線不透過性伸長要素を照射することであって、前記伸長要素は、前記患者によって加重される患者プラットフォームに結合され、前記伸長要素は、前記プラットフォームの縦軸と平行な縦軸を備える、ことと、
前記コリメータに面する検出器によって前記第１のビームを受容することと、
前記検出器を使用して、前記伸長要素の第１の場所を決定することと、
前記伸長要素の第１の場所と第２の場所との間の前記伸長要素の場所の変化を計算することであって、前記第２の場所は、非加重プラットフォームに対応する、ことと、
前記伸長要素の場所の変化を使用して、前記プラットフォームの場所の変化を決定することと
を含む、方法。
【請求項２０】
前記伸長要素の第２の場所は、前記伸長要素の複数の画像を使用して決定される、請求項１９に記載の方法。
【請求項２１】
前記第１のビームは、第１の正の回転角と第２の負の回転角との間で水平面に対して前記放射線源から放出される、請求項１９に記載の方法。
【請求項２２】
前記第１のビームは、前記水平面と平行な前記放射線源を用いて、前記放射線源から放出される、請求項２１に記載の方法。
【請求項２３】
前記放射線透過性患者プラットフォームは、高エネルギー光子に対して実質的に透過性である第１の材料を含み、前記放射線不透過性要素は、前記高エネルギー光子に対して実質的に不透過性である第２の材料を含む、請求項１９に記載の方法。
【請求項２４】
放射線療法患者プラットフォームシステムであって、
放射線透過性患者プラットフォームと、
前記患者プラットフォームに結合される１つ以上の光学マーカと、
回転可能ガントリに結合される光学センサであって、前記光学センサは、前記回転可能ガントリが回転すると前記１つ以上の光学マーカを撮像するように構成される、光学センサと、
コントローラであって、前記コントローラは、前記光学センサを使用して、前記１つ以上の光学マーカの第１の場所を決定することと、前記１つ以上の光学マーカの第１の場所と第２の場所との間の前記１つ以上の光学マーカの場所の変化を計算することであって、前記第２の場所は、加重プラットフォームに対応する、ことと、前記１つ以上の光学マーカの場所の変化を使用して、前記プラットフォームの場所の変化を決定することとを行うように構成される、コントローラと
を備える、システム。
【請求項２５】
前記光学センサは、赤外線センサおよび／または赤外線照明源を備える、請求項２４に記載のシステム。
【請求項２６】
前記光学マーカは、再帰反射体または反射体を備える、請求項２４に記載のシステム。
【請求項２７】
前記光学センサは、レーザを備える、請求項２４に記載のシステム。
【請求項２８】
前記患者プラットフォームは、患者支持体を備える第１の側面と、前記第１の側面の反対側の第２の側面とを備え、前記光学マーカは、前記患者プラットフォームの第２の側面に結合される、請求項２４に記載のシステム。
【請求項２９】
患者に起因する放射線療法患者プラットフォームの場所の変化を定量化する方法であって、
光学センサを使用して、光学マーカを撮像することであって、前記光学マーカは、前記患者によって加重される前記患者プラットフォームに結合され、前記光学マーカは、前記プラットフォームの縦軸と平行な縦軸を備え、前記光学センサは、回転可能ガントリに結合される、ことと、
前記光学センサを使用して、前記光学マーカの第１の場所を決定することと、
前記光学マーカの第１の場所と第２の場所との間の前記光学マーカの場所の変化を計算することであって、前記第２の場所は、加重プラットフォームに対応する、ことと、
前記光学マーカの場所の変化を使用して、前記プラットフォームの場所の変化を決定することと
を含む、方法。
【請求項３０】
前記光学マーカの前記第２の場所は、前記光学マーカの複数の画像を使用して決定される、請求項２９に記載の方法。
【請求項３１】
システムであって、
患者支持表面と、前記患者支持表面の反対側の下面とを有する患者プラットフォームと、
前記下面に搭載されるファントムであって、前記ファントムは、対応する事前決定された深度を有する複数の段と、複数の放射線検出器とを備え、前記放射線検出器はそれぞれ、その対応する段の事前決定された深度において配置される、ファントムと
を備える、システム。
【請求項３２】
前記放射線検出器は、電離チャンバと、線量計スロットとを備える、請求項３１に記載のシステム。
【請求項３３】
前記電離チャンバは、前記ファントムの縦軸に沿って、かつ前記縦軸と垂直な垂直軸に沿って配列される、請求項３１に記載のシステム。
【請求項３４】
前記線量計スロットは、前記縦軸と平行であり、その対応する段の事前決定された深度において配置される、請求項３２に記載のシステム。
【請求項３５】
前記線量計スロットのうちの少なくとも１つは、前記ファントムの縦軸と垂直な垂直軸と略平行である、請求項３１に記載のシステム。
【請求項３６】
前記ファントムは、内部流体密封容積を画定する筐体を備える、請求項３１に記載のシステム。
【請求項３７】
前記ファントムを前記患者プラットフォームに結合するマウントをさらに備える、請求項３１に記載のシステム。
【請求項３８】
前記マウントは、前記患者プラットフォームに対して前記ファントムを摺動可能に位置付けるように構成される、請求項３７に記載のシステム。
【請求項３９】
システムであって、
患者支持表面と、前記患者支持表面の反対側の下面と、縦軸とを有する患者プラットフォームと、
前記下面に搭載されるファントムであって、前記ファントムは、複数の放射線検出器と、第１の密度を有する第１の領域と、前記第１の密度と異なる第２の密度を有する第２の領域とを備え、前記放射線検出器および領域はそれぞれ、前記縦軸に沿って配列される、ファントムと
を備える、システム。
【請求項４０】
前記放射線検出器は、電離チャンバと、線量計スロットとを備える、請求項３９に記載のシステム。
【請求項４１】
前記線量計スロットはそれぞれ、その対応する電離チャンバに交差する、請求項４０に記載のシステム。
【請求項４２】
前記電離チャンバおよび線量計スロットは、前記縦軸に沿って相互から離間される、請求項４０に記載のシステム。
【請求項４３】
前記ファントムを前記患者プラットフォームに結合するマウントをさらに備える、請求項３９に記載のシステム。
【請求項４４】
前記マウントは、前記患者プラットフォームに対して前記ファントムを摺動可能に位置付けるように構成される、請求項４３に記載のシステム。
【請求項４５】
システムであって、
患者支持表面と、前記患者支持表面の反対側の下面と、縦軸とを有する患者プラットフォームと、
前記下面に搭載されるファントムであって、前記ファントムは、空間周波数範囲を有する第１の反復パターンと、コントラスト範囲を有する第２の反復パターンとを備える、ファントムと
を備え、
前記第１および第２の反復パターンは、前記ファントムの縦軸に沿って離間され、前記空間周波数範囲は、放射線検出器の空間周波数限界内であり、前記コントラスト範囲は、前記放射線検出器のコントラスト限界内である、システム。
【請求項４６】
前記第１および第２の反復パターンは、異なる間隔で離間される対照的な形状のセットを備える、請求項４５に記載のシステム。
【請求項４７】
前記形状のセットは、第１の厚さを有する第１の形状と、前記第１の厚さと異なる第２の厚さを有する第２の形状とを備える、請求項４６に記載のシステム。
【請求項４８】
前記形状のセットは、第１の密度を有する第１の形状と、前記第１の密度と異なる第２の密度を有する第２の形状とを備える、請求項４６に記載のシステム。
【請求項４９】
前記ファントムの幅は、前記患者プラットフォームの長さと平行に整合される、請求項４５に記載のシステム。
【請求項５０】
前記ファントムは、前記患者プラットフォームの撮像領域内に配置される、請求項４５に記載のシステム。
【請求項５１】
前記ファントムを前記患者プラットフォームに結合するマウントをさらに備える、請求項４５に記載のシステム。
【請求項５２】
放射線療法患者プラットフォームシステムであって、
複数のエンクロージャを有する共形化可能基板と、前記共形化可能基板に結合される圧力センサとを備える放射線透過性患者プラットフォームと、
前記圧力センサを使用して、前記複数のエンクロージャのそれぞれの高さを独立して制御するように構成されるコントローラと
を備える、システム。
【請求項５３】
圧力源を前記複数のエンクロージャのそれぞれに結合する圧力チャネルをさらに備える、請求項５２に記載のシステム。
【請求項５４】
前記圧力チャネルは、高エネルギー光子に対して実質的に透過性である放射線透過性材料を含む、請求項５３に記載のシステム。
【請求項５５】
前記複数のエンクロージャは、流体を含む、請求項５２に記載のシステム。
【請求項５６】
前記流体は、ガスを含む、請求項５５に記載のシステム。
【請求項５７】
熱電層と、加熱要素とをさらに備え、前記熱電層および前記加熱要素のそれぞれは、前記患者プラットフォームに結合される、請求項５２に記載のシステム。
【請求項５８】
前記熱電層は、温度に基づいて、柔軟構成と剛性構成との間で遷移する、請求項５７に記載のシステム。
【請求項５９】
前記熱電層に結合される断熱層をさらに備える、請求項５２に記載のシステム。
【請求項６０】
前記複数のエンクロージャは、可撓性膜を備える、請求項５２に記載のシステム。
【請求項６１】
前記複数のエンクロージャは、ハニカム構成を備える、請求項５２に記載のシステム。
【請求項６２】
放射線透過性患者プラットフォームを調節するための方法であって、
患者プラットフォームの圧力を測定することであって、前記プラットフォームは、複数のエンクロージャを有する共形化可能基板と、前記共形化可能基板に結合される圧力センサとを備え、前記圧力は、複数のエンクロージャ圧力を含む、ことと、
前記共形化可能基板が患者の形状に輪郭形成するように、前記圧力を使用して、前記複数のエンクロージャのそれぞれの高さを独立して制御することと
を含む、方法。
【請求項６３】
前記複数のエンクロージャのそれぞれの高さに対応する患者構成を決定することをさらに含み、前記患者構成は、前記複数のエンクロージャのそれぞれの圧力および高さのうちの少なくとも１つを備える、請求項６２に記載の方法。
【請求項６４】
メモリの中に前記患者構成を記憶することと、前記記憶された患者構成を使用して、前記複数のエンクロージャのそれぞれの高さを再調節することとをさらに含む、請求項６３に記載の方法。
【請求項６５】
前記患者プラットフォームの熱電層を加熱して柔軟構成を形成することと、前記熱電層を冷却して剛性構成を形成することとをさらに含む、請求項６２に記載の方法。
【請求項６６】
放射線透過性患者プラットフォームの沈下を低減させるための方法であって、
基部に結合される患者プラットフォームを提供することであって、前記患者プラットフォームは、上側部分と、前記上側部分に結合される下側部分とを備える、ことと、
前記上側部分および前記下側部分を移動させることと、
前記患者プラットフォームの縦軸と垂直な撮像平面内で撮像放射線源によって撮像ビームを放出することであって、前記下側部分は、前記撮像平面と交差しておらず、前記上側部分は、前記撮像平面に交差する、ことと
を含む、方法。
【請求項６７】
前記患者プラットフォームの縦軸と垂直な治療平面内で、マルチリーフコリメータに結合される治療放射線源から治療ビームを放出することと、前記下側部分が前記治療平面と交差しておらず、前記上側部分が前記治療平面に交差するように、前記上側部分および前記下側部分を移動させることとをさらに含む、請求項６６に記載の方法。
【請求項６８】
前記撮像平面の中へ前記上側部分を移動させることは、前記下側部分の前縁が前記撮像平面から離れた第１の距離に位置するように、前記下側部分を位置付けることを含む、請求項６６に記載の方法。
【請求項６９】
前記治療平面の中へ前記上側部分を移動させることは、前記下側部分の前縁が前記治療平面から離れた第２の距離に位置するように、前記下側部分を位置付けることを含む、請求項６７に記載の方法。
【請求項７０】
前記上側部分は、高エネルギー光子に対して実質的に透過性である第１の材料を含み、前記下側部分は、前記高エネルギー光子に対して実質的に不透過性である第２の材料を含む、請求項６６に記載の方法。
【請求項７１】
放射線療法患者プラットフォームシステムであって、
下側部分に結合される上側部分を備える放射線透過性患者プラットフォームと、
前記患者プラットフォームの前記下側部分に結合される基部と、
マルチリーフコリメータに結合される放射線源であって、前記放射線源は、前記患者プラットフォームの縦軸と垂直なビーム平面内で第１のビームを放出するように構成される、放射線源と、
前記下側部分に対して前記上側部分を移動させるように構成されるコントローラであって、前記下側部分は、前記ビーム平面と交差しておらず、前記上側部分は、前記ビーム平面に交差する、コントローラと
を備える、システム。
【請求項７２】
放射線透過性患者プラットフォームを制御するための方法であって、
基部に結合される患者プラットフォームを提供することであって、前記患者プラットフォームは、上側部分と、前記上側部分に固定される下側部分とを備え、前記上側部分および前記下側部分は、異なる放射線透過性を備える、ことと、
前記基部に対して前記患者プラットフォームを移動させることと、
前記患者プラットフォームの縦軸と垂直な撮像平面内で撮像放射線源によって撮像ビームを放出することであって、前記下側部分は、前記撮像平面と交差しておらず、前記上側部分は、前記撮像平面に交差する、ことと
を含む、方法。
【請求項７３】
前記患者プラットフォームの縦軸と垂直な治療平面内で、マルチリーフコリメータに結合される治療放射線源から治療ビームを放出することと、前記下側部分が前記治療平面と交差しておらず、前記上側部分が前記治療平面に交差するように、前記患者プラットフォームを移動させることとをさらに含む、請求項７２に記載の方法。
【請求項７４】
前記撮像平面の中へ前記上側部分を移動させることは、前記下側部分の前縁が前記撮像平面から離れた第１の距離に位置するように、前記下側部分を位置付けることを含む、請求項７２に記載の方法。
【請求項７５】
前記治療平面の中へ前記上側部分を移動させることは、前記下側部分の前縁が前記治療平面から離れた第２の距離に位置するように、前記下側部分を位置付けることを含む、請求項７４に記載の方法。
【請求項７６】
前記上側部分は、高エネルギー光子に対して実質的に透過性である第１の材料を含み、前記下側部分は、前記高エネルギー光子に対して実質的に不透過性である第２の材料を含む、請求項７２に記載の方法。
【請求項７７】
放射線療法患者プラットフォームシステムであって、
下側部分に固定される上側部分を備える放射線透過性患者プラットフォームと、
前記患者プラットフォームの前記下側部分に結合される基部と、
マルチリーフコリメータに結合される放射線源であって、前記放射線源は、前記患者プラットフォームの縦軸と垂直なビーム平面内で第１のビームを放出するように構成される、放射線源と、
前記基部に対して前記患者プラットフォームを移動させるように構成されるコントローラであって、前記下側部分は、前記ビーム平面と交差しておらず、前記上側部分は、前記ビーム平面に交差する、コントローラと
を備える、システム。
【請求項７８】
第１のスイッチと、ドッキングポートとを備えるハンドヘルドコントローラをさらに備え、前記第１のスイッチは、移動信号を生成するように構成される、請求項１に記載の患者プラットフォーム。
【請求項７９】
前記第１のスイッチは、ボタン、アナログスティック、トラックボール、タッチスクリーン、指向性パッド、ジョグダイヤル、運動検出器、画像センサ、およびマイクロホンのうちの少なくとも１つを備える、請求項７８に記載の患者プラットフォーム。
【請求項８０】
前記患者プラットフォームへの前記コントローラの近接性を検出するように構成される近接性センサをさらに備え、前記患者プラットフォームは、前記移動信号および前記検出された近接性を使用して移動するように構成される、請求項７８に記載の患者プラットフォーム。
【請求項８１】
前記コントローラは、前記移動信号を出力する無線伝送機を備える、請求項７８に記載の患者プラットフォーム。
【請求項８２】
前記患者プラットフォームおよび前記コントローラに結合されるテザーをさらに備える、請求項７８に記載の患者プラットフォーム。
【請求項８３】
前記移動信号は、少なくとも４自由度の運動を制御する、請求項７８に記載の患者プラットフォーム。
【請求項８４】
第２のスイッチをさらに備える、請求項７８に記載の患者プラットフォーム。
【請求項８５】
前記第２のスイッチは、ステップスイッチである、請求項８４に記載の患者プラットフォーム。
【請求項８６】
前記コントローラは、前記第１および第２のスイッチのアクティブ化に応じて前記移動信号を出力するように構成される、請求項７８に記載の患者プラットフォーム。
【請求項８７】
前記コントローラは、前記第２のスイッチと、筐体とを備え、前記第１のスイッチは、前記筐体の第１の側面上に提供され、前記第２のスイッチは、前記第１の側面と反対側の前記筐体の第２の側面上に提供される、請求項７８に記載の患者プラットフォーム。
【請求項８８】
基部に結合されるヒンジと、前記ヒンジに結合されるヘッドレストと、前記ヘッドレストに結合される駆動システムとを備える頭部固定をさらに備え、前記駆動システムは、前記基部と略垂直に延在するように構成され、前記ヘッドレストおよび前記駆動システムはそれぞれ、高エネルギー光子に対して実質的に透過性である放射線透過性材料を含む、請求項１に記載のシステム。
【請求項８９】
前記駆動システムは、空気圧式要素を備える、請求項８８に記載のシステム。
【請求項９０】
前記駆動システムは、電気機械要素を備える、請求項８８に記載のシステム。
【請求項９１】
前記駆動システムに結合されるアクチュエータをさらに備え、前記アクチュエータは、前記患者プラットフォームの第１の端部に結合される、請求項８８に記載のシステム。
【請求項９２】
前記ヒンジは、ロックを備え、前記ロックは、複数の戻り止めと、ピンとを備える、請求項８８に記載のシステム。
【請求項９３】
放射線療法患者プラットフォームに対して患者の頭部を位置付ける方法であって、
患者の頭部を頭部固定デバイスに結合することであって、前記頭部固定デバイスは、ヒンジによってヘッドレストに結合される基部と、前記ヘッドレストに結合されるヘッドレスト駆動システムとを備える、ことと、
前記駆動システムを前記基部と略垂直に延在させることと、
を含む、方法。
【請求項９４】
前記基部に対して前記ヘッドレストを係止することをさらに含む、請求項９３に記載の方法。
【請求項９５】
患者胴体および患者肩のうちの少なくとも１つを前記基部に結合することをさらに含む、請求項９３に記載の方法。
【請求項９６】
前記基部に対して前記ヘッドレストを傾斜させ、向きを変えることをさらに含む、請求項９３に記載の方法。
【請求項９７】
頸部撓曲に応答して、前記ヒンジを中心として前記ヘッドレストを枢動させることをさらに含む、請求項９３に記載の方法。
【請求項９８】
スイッチを備えるハンドヘルドコントローラをさらに備え、前記スイッチは、前記放射線透過性患者プラットフォームの移動を制御するための移動信号を生成するように構成される、請求項１に記載のシステム。
【請求項９９】
前記スイッチは、ボタン、アナログスティック、トラックボール、タッチスクリーン、指向性パッド、ジョグダイヤル、運動検出器、画像センサ、およびマイクロホンのうちの少なくとも１つを備える、請求項９８に記載のシステム。
【請求項１００】
前記ハンドヘルドコントローラは、放射線療法システムとドッキングするように構成されるドッキングポートを備える、請求項９８に記載のシステム。
【請求項１０１】
前記放射線療法システムは、前記ハンドヘルドコントローラが前記放射線療法システムにドッキングされているとき、放射線療法治療のみを送達するように構成される、請求項１００に記載のシステム。
【請求項１０２】
前記ハンドヘルドコントローラは、安全性スイッチを備える、請求項９８に記載のシステム。
【請求項１０３】
前記ハンドヘルドコントローラは、近接性センサを備え、前記ハンドヘルドコントローラは、前記放射線透過性患者プラットフォームに対する前記ハンドヘルドコントローラの近接性に基づいて、異なる出力信号を生成するように構成される、請求項９８に記載のシステム。
【請求項１０４】
前記ハンドヘルドコントローラは、駆動システムのうちの１つ以上のものを制御するために前記移動信号を伝送する無線伝送機を備える、請求項９８に記載のシステム。
【請求項１０５】
前記放射線透過性患者プラットフォームは、共形化可能基板を備える、請求項１に記載のシステム。
【請求項１０６】
前記共形化可能基板は、複数のエンクロージャを有し、圧力センサが、前記共形化可能基板に結合され、前記システムは、前記圧力センサを使用して前囲複数のエンクロージャのそれぞれの高さを独立して制御するように構成されるコントローラをさらに備える、請求項１０５に記載のシステム。
【請求項１０７】
圧力源を前記複数のエンクロージャのそれぞれに結合する圧力チャネルをさらに備える、請求項１０６に記載のシステム。
【請求項１０８】
前記圧力チャネルは、高エネルギー光子に対して実質的に透過性である放射線透過性材料を含む、請求項１０７に記載のシステム。
【請求項１０９】
前記複数のエンクロージャは、流体を含む、請求項１０６に記載のシステム。
【請求項１１０】
熱電層と、加熱要素とをさらに備え、前記熱電層および前記加熱要素のそれぞれは、前記放射線透過性患者プラットフォームに結合される、請求項１０６に記載のシステム。
【請求項１１１】
前記熱電層は、温度に基づいて、柔軟構成と剛性構成との間で前記共形化可能基板を遷移させる、請求項１１０に記載のシステム。
【請求項１１２】
前記熱電層に結合される断熱層をさらに備える、請求項１１０に記載のシステム。
【請求項１１３】
頭部固定基部に結合されるヒンジと、前記ヒンジに結合されるヘッドレストと、前記ヘッドレストに結合されるヘッドレスト駆動システムとを備える頭部固定デバイスをさらに備え、前記ヘッドレスト駆動システムは、前記頭部固定基部と略垂直に延在するように構成され、前記ヘッドレストおよび前記ヘッドレスト駆動システムのそれぞれは、高エネルギー光子に対して実質的に透過性である放射線透過性材料を含む、請求項１に記載のシステム。
【請求項１１４】
前記ヘッドレスト駆動システムは、空気圧式要素を備える、請求項１１３に記載のシステム。
【請求項１１５】
前記ヘッドレスト駆動システムは、電気機械要素を備える、請求項１１３に記載のシステム。
【請求項１１６】
前記ヘッドレスト駆動システムに結合されるアクチュエータをさらに備え、前記アクチュエータは、前記放射線透過性患者プラットフォームの第１の端部に結合される、請求項１１３に記載のシステム。
【請求項１１７】
前記ヒンジは、ロックを備え、前記ロックは、複数の戻り止めと、ピンとを備える、請求項１１３に記載のシステム。
【手続補正２】
【補正対象書類名】明細書
【補正対象項目名】００３８
【補正方法】変更
【補正の内容】
【００３８】
いくつかの変形例では、ヘッドレストは、基部に対して係止されてもよい。他の変形例では、患者胴体および患者肩のうちの少なくとも１つが、基部に結合されてもよい。いくつかの他の変形例では、ヘッドレストは、基部に対して傾斜され、向きを変えられてもよい。さらに他の変形例では、ヘッドレストは、頸部撓曲に応答して、ヒンジを中心として枢動されてもよい。
本発明は、例えば、以下を提供する。
（項目１）
放射線療法患者プラットフォームシステムであって、
基部に結合される放射線透過性患者プラットフォームであって、前記患者プラットフォームは、下側部分に結合される上側部分を備える、患者プラットフォームと、
前記患者プラットフォームに結合される軸方向駆動システムであって、前記軸方向駆動システムは、前記基部に対して軸方向に前記患者プラットフォームを移動させるように構成される、軸方向駆動システムと、
前記患者プラットフォームに結合される側方駆動システムであって、前記側方駆動システムは、前記基部に対して横方向に前記患者プラットフォームを移動させるように構成される、側方駆動システムと、
前記患者プラットフォームに結合される垂直駆動システムであって、前記垂直駆動システムは、前記基部に対して垂直方向に前記患者プラットフォームを移動させるように構成され、前記垂直駆動システムは、前記患者プラットフォームに結合される第１および第２の鋏要素を備える、垂直駆動システムと、
前記上側部分および下側部分の第１の端部において前記上側部分を前記下側部分に結合するヨー枢動部と、
前記上側部分の第１の端部に結合されるヨー駆動システムであって、前記ヨー駆動システムは、前記ヨー枢動部を中心として前記下側部分に対して前記上側部分の向きを変えるように構成される、ヨー駆動システムと、
前記プラットフォームに結合されるピッチ駆動システムであって、前記ピッチ駆動システムは、ピッチ枢動部を中心として前記下側部分に対して前記上側部分を傾斜させるように構成される、ピッチ駆動システムと
を備える、システム。
（項目２）
前記ピッチ駆動システムは、前記ヨー駆動システムに結合される第１のウェッジと、前記上側部分に結合される第２のウェッジとを備える、項目１に記載のシステム。
（項目３）
前記軸方向駆動システムは、前記下側部分と前記側方駆動システムとの間に結合され、前記側方駆動システムは、前記軸方向駆動システムと前記ヨー駆動システムとの間に結合され、前記ヨー駆動システムは、前記側方駆動システムと前記ピッチ駆動システムとの間に結合され、前記ピッチ駆動システムは、前記ヨー駆動システムと前記上側部分との間に結合される、項目１に記載のシステム。
（項目４）
前記軸方向駆動システムは、前記下側部分の第１の端部に結合される軸方向駆動要素と、前記軸方向駆動要素に結合される軸方向レールとを備える、項目１に記載のシステム。
（項目５）
前記側方駆動システムは、前記患者プラットフォームに結合される側方駆動要素と、前記側方駆動要素に結合される側方レールとを備える、項目１に記載のシステム。
（項目６）
前記垂直駆動システムは、前記第１の鋏要素に結合される第１の線形ねじを備える垂直駆動要素を備える、項目１に記載のシステム。
（項目７）
前記垂直駆動要素は、前記第２の鋏要素に結合される第２の線形ねじを備える、項目６に記載のシステム。
（項目８）
患者の第１の着目領域を照射する方法であって、
ガントリの患者領域の中へ放射線療法患者プラットフォームを移動させることであって、前記ガントリは、それを中心として前記ガントリが回転するアイソセンタ点と、前記患者領域の第１の縦軸と平行に延在する、前記アイソセンタ点を備えるアイソセンタ軸とを画定する、ことと、
前記患者プラットフォームを移動させ、前記アイソセンタ軸上に前記第１の着目領域を位置付けることと、
放射線源から前記アイソセンタ軸上の前記第１の着目領域に放射線ビームを放出することと
を含む、方法。
（項目９）
前記患者プラットフォームを移動させ、前記アイソセンタ軸上に前記第１の着目領域を位置付けることは、横方向に前記患者プラットフォームを移動させる、項目８に記載の方法。
（項目１０）
前記患者プラットフォームのピッチおよびヨーのうちの少なくとも１つを回転させることをさらに含む、項目８に記載の方法。
（項目１１）
前記アイソセンタ軸上で前記第１の着目領域の第２の縦軸を整合させることをさらに含む、項目１０に記載の方法。
（項目１２）
前記患者は、第２の着目領域を備え、前記患者プラットフォームを移動させ、前記アイソセンタ軸上に前記第１および第２の着目領域を交互に位置付けることをさらに含む、項目８に記載の方法。
（項目１３）
前記アイソセンタ軸上で前記第２の着目領域の第３の縦軸を整合させることをさらに含む、項目１１に記載の方法。
（項目１４）
放射線療法患者プラットフォームシステムであって、
プラットフォームの縦軸と平行な縦軸に沿って位置する放射線不透過性伸長要素を備える放射線透過性患者プラットフォームと、
マルチリーフコリメータに結合される放射線源であって、前記放射線源は、前記コリメータを通して第１のビームを放出し、前記伸長要素を照射するように構成される、放射線源と、
前記コリメータに面し、前記第１のビームを受容するように構成される検出器と、
コントローラであって、前記コントローラは、前記検出器を使用して、前記伸長要素の第１の場所を決定することと、前記伸長要素の第１の場所と第２の場所との間の前記伸長要素の場所の変化を計算することであって、前記第２の場所は、加重プラットフォームに対応する、ことと、前記伸長要素の場所の変化を使用して、前記プラットフォームの場所の変化を決定することとを行うように構成される、コントローラと
を備える、システム。
（項目１５）
前記患者プラットフォームは、患者支持体を備える第１の側面と、前記第１の側面の反対側の第２の側面とを備え、前記伸長要素は、前記患者プラットフォームの第２の側面に結合される、項目１４に記載のシステム。
（項目１６）
前記伸長要素を前記患者プラットフォームに結合する放射線透過性支持要素をさらに備える、項目１４に記載のシステム。
（項目１７）
前記伸長要素は、金属ロッドを備える、項目１４に記載のシステム。
（項目１８）
前記放射線透過性患者プラットフォームは、高エネルギー光子に対して実質的に透過性である第１の材料を含み、前記放射線不透過性伸長要素は、前記高エネルギー光子に対して実質的に不透過性である第２の材料を含む、項目１４に記載のシステム。
（項目１９）
患者に起因する放射線療法患者プラットフォームの場所の変化を定量化する方法であって、
放射線源からマルチリーフコリメータを通して第１のビームを放出し、放射線不透過性伸長要素を照射することであって、前記伸長要素は、前記患者によって加重される患者プラットフォームに結合され、前記伸長要素は、前記プラットフォームの縦軸と平行な縦軸を備える、ことと、
前記コリメータに面する検出器によって前記第１のビームを受容することと、
前記検出器を使用して、前記伸長要素の第１の場所を決定することと、
前記伸長要素の第１の場所と第２の場所との間の前記伸長要素の場所の変化を計算することであって、前記第２の場所は、非加重プラットフォームに対応する、ことと、
前記伸長要素の場所の変化を使用して、前記プラットフォームの場所の変化を決定することと
を含む、方法。
（項目２０）
前記伸長要素の第２の場所は、前記伸長要素の複数の画像を使用して決定される、項目１９に記載の方法。
（項目２１）
前記第１のビームは、第１の正の回転角と第２の負の回転角との間で水平面に対して前記放射線源から放出される、項目１９に記載の方法。
（項目２２）
前記第１のビームは、前記水平面と平行な前記放射線源を用いて、前記放射線源から放出される、項目２１に記載の方法。
（項目２３）
前記放射線透過性患者プラットフォームは、高エネルギー光子に対して実質的に透過性である第１の材料を含み、前記放射線不透過性要素は、前記高エネルギー光子に対して実質的に不透過性である第２の材料を含む、項目１９に記載の方法。
（項目２４）
放射線療法患者プラットフォームシステムであって、
放射線透過性患者プラットフォームと、
前記患者プラットフォームに結合される１つ以上の光学マーカと、
回転可能ガントリに結合される光学センサであって、前記光学センサは、前記回転可能ガントリが回転すると前記１つ以上の光学マーカを撮像するように構成される、光学センサと、
コントローラであって、前記コントローラは、前記光学センサを使用して、前記１つ以上の光学マーカの第１の場所を決定することと、前記１つ以上の光学マーカの第１の場所と第２の場所との間の前記１つ以上の光学マーカの場所の変化を計算することであって、前記第２の場所は、加重プラットフォームに対応する、ことと、前記１つ以上の光学マーカの場所の変化を使用して、前記プラットフォームの場所の変化を決定することとを行うように構成される、コントローラと
を備える、システム。
（項目２５）
前記光学センサは、赤外線センサおよび／または赤外線照明源を備える、項目２４に記載のシステム。
（項目２６）
前記光学マーカは、再帰反射体または反射体を備える、項目２４に記載のシステム。
（項目２７）
前記光学センサは、レーザを備える、項目２４に記載のシステム。
（項目２８）
前記患者プラットフォームは、患者支持体を備える第１の側面と、前記第１の側面の反対側の第２の側面とを備え、前記光学マーカは、前記患者プラットフォームの第２の側面に結合される、項目２４に記載のシステム。
（項目２９）
患者に起因する放射線療法患者プラットフォームの場所の変化を定量化する方法であって、
光学センサを使用して、光学マーカを撮像することであって、前記光学マーカは、前記患者によって加重される前記患者プラットフォームに結合され、前記光学マーカは、前記プラットフォームの縦軸と平行な縦軸を備え、前記光学センサは、回転可能ガントリに結合される、ことと、
前記光学センサを使用して、前記光学マーカの第１の場所を決定することと、
前記光学マーカの第１の場所と第２の場所との間の前記光学マーカの場所の変化を計算することであって、前記第２の場所は、加重プラットフォームに対応する、ことと、
前記光学マーカの場所の変化を使用して、前記プラットフォームの場所の変化を決定することと
を含む、方法。
（項目３０）
前記光学マーカの前記第２の場所は、前記光学マーカの複数の画像を使用して決定される、項目２９に記載の方法。
（項目３１）
システムであって、
患者支持表面と、前記患者支持表面の反対側の下面とを有する、患者プラットフォームと、
前記下面に搭載されるファントムであって、前記ファントムは、対応する事前決定された深度を有する複数の段と、複数の放射線検出器とを備え、前記放射線検出器はそれぞれ、その対応する段の事前決定された深度において配置される、ファントムと
を備える、システム。
（項目３２）
前記放射線検出器は、電離チャンバと、線量計スロットとを備える、項目３１に記載のシステム。
（項目３３）
前記電離チャンバは、前記ファントムの縦軸に沿って、かつ前記縦軸と垂直な垂直軸に沿って配列される、項目３１に記載のシステム。
（項目３４）
前記線量計スロットは、前記縦軸と平行であり、その対応する段の事前決定された深度において配置される、項目３２に記載のシステム。
（項目３５）
前記線量計スロットのうちの少なくとも１つは、前記ファントムの縦軸と垂直な垂直軸と略平行である、項目３１に記載のシステム。
（項目３６）
前記ファントムは、内部流体密封容積を画定する筐体を備える、項目３１に記載のシステム。
（項目３７）
前記ファントムを前記患者プラットフォームに結合するマウントをさらに備える、項目３１に記載のシステム。
（項目３８）
前記マウントは、前記患者プラットフォームに対して前記ファントムを摺動可能に位置付けるように構成される、項目３７に記載のシステム。
（項目３９）
システムであって、
患者支持表面と、前記患者支持表面の反対側の下面と、縦軸とを有する、患者プラットフォームと、
前記下面に搭載されるファントムであって、前記ファントムは、複数の放射線検出器と、第１の密度を有する第１の領域と、前記第１の密度と異なる第２の密度を有する第２の領域とを備え、前記放射線検出器および領域はそれぞれ、前記縦軸に沿って配列される、ファントムと
を備える、システム。
（項目４０）
前記放射線検出器は、電離チャンバと、線量計スロットとを備える、項目３９に記載のシステム。
（項目４１）
前記線量計スロットはそれぞれ、その対応する電離チャンバに交差する、項目４０に記載のシステム。
（項目４２）
前記電離チャンバおよび線量計スロットは、前記縦軸に沿って相互から離間される、項目４０に記載のシステム。
（項目４３）
前記ファントムを前記患者プラットフォームに結合するマウントをさらに備える、項目３９に記載のシステム。
（項目４４）
前記マウントは、前記患者プラットフォームに対して前記ファントムを摺動可能に位置付けるように構成される、項目４３に記載のシステム。
（項目４５）
システムであって、
患者支持表面と、前記患者支持表面の反対側の下面と、縦軸とを有する、患者プラットフォームと、
前記下面に搭載されるファントムであって、前記ファントムは、空間周波数範囲を有する第１の反復パターンと、コントラスト範囲を有する第２の反復パターンとを備える、ファントムと
を備え、
前記第１および第２の反復パターンは、前記ファントムの縦軸に沿って離間され、前記空間周波数範囲は、放射線検出器の空間周波数限界内であり、前記コントラスト範囲は、前記放射線検出器のコントラスト限界内である、システム。
（項目４６）
前記第１および第２の反復パターンは、異なる間隔で離間される対照的な形状のセットを備える、項目４５に記載のシステム。
（項目４７）
前記形状のセットは、第１の厚さを有する第１の形状と、前記第１の厚さと異なる第２の厚さを有する第２の形状とを備える、項目４６に記載のシステム。
（項目４８）
前記形状のセットは、第１の密度を有する第１の形状と、前記第１の密度と異なる第２の密度を有する第２の形状とを備える、項目４６に記載のシステム。
（項目４９）
前記ファントムの幅は、前記患者プラットフォームの長さと平行に整合される、項目４５に記載のシステム。
（項目５０）
前記ファントムは、前記患者プラットフォームの撮像領域内に配置される、項目４５に記載のシステム。
（項目５１）
前記ファントムを前記患者プラットフォームに結合するマウントをさらに備える、項目４５に記載のシステム。
（項目５２）
放射線療法患者プラットフォームシステムであって、
複数のエンクロージャを有する共形化可能基板と、前記共形化可能基板に結合される圧力センサとを備える放射線透過性患者プラットフォームと、
前記圧力センサを使用して、前記複数のエンクロージャのそれぞれの高さを独立して制御するように構成されるコントローラと
を備える、システム。
（項目５３）
圧力源を前記複数のエンクロージャのそれぞれに結合する圧力チャネルをさらに備える、項目５２に記載のシステム。
（項目５４）
前記圧力チャネルは、高エネルギー光子に対して実質的に透過性である放射線透過性材料を含む、項目５３に記載のシステム。
（項目５５）
前記複数のエンクロージャは、流体を含む、項目５２に記載のシステム。
（項目５６）
前記流体は、ガスを含む、項目５５に記載のシステム。
（項目５７）
熱電層と、加熱要素とをさらに備え、前記熱電層および加熱要素のそれぞれは、前記患者プラットフォームに結合される、項目５２に記載のシステム。
（項目５８）
前記熱電層は、温度に基づいて、柔軟構成と剛性構成との間で遷移する、項目５７に記載のシステム。
（項目５９）
前記熱電層に結合される断熱層をさらに備える、項目５２に記載のシステム。
（項目６０）
前記複数のエンクロージャは、可撓性膜を備える、項目５２に記載のシステム。
（項目６１）
前記複数のエンクロージャは、ハニカム構成を備える、項目５２に記載のシステム。
（項目６２）
放射線透過性患者プラットフォームを調節するための方法であって、
患者プラットフォームの圧力を測定することであって、前記プラットフォームは、複数のエンクロージャを有する共形化可能基板と、前記共形化可能基板に結合される圧力センサとを備え、前記圧力は、複数のエンクロージャ圧力を含む、ことと、
前記共形化可能基板が患者の形状に輪郭形成するように、前記圧力を使用して、前記複数のエンクロージャのそれぞれの高さを独立して制御することと
を含む、方法。
（項目６３）
前記複数のエンクロージャのそれぞれの高さに対応する患者構成を決定することをさらに含み、前記患者構成は、前記複数のエンクロージャのそれぞれの圧力および高さのうちの少なくとも１つを備える、項目６２に記載の方法。
（項目６４）
メモリの中に前記患者構成を記憶することと、前記記憶された患者構成を使用して、前記複数のエンクロージャのそれぞれの高さを再調節することとをさらに含む、項目６３に記載の方法。
（項目６５）
前記患者プラットフォームの熱電層を加熱して柔軟構成を形成することと、前記熱電層を冷却して剛性構成を形成することとをさらに含む、項目６２に記載の方法。
（項目６６）
放射線透過性患者プラットフォームの沈下を低減させるための方法であって、
基部に結合される患者プラットフォームを提供することであって、前記患者プラットフォームは、上側部分と、前記上側部分に結合される下側部分とを備える、ことと、
前記上側部分および前記下側部分を移動させることと、
前記患者プラットフォームの縦軸と垂直な撮像平面内で撮像放射線源によって撮像ビームを放出することであって、前記下側部分は、前記撮像平面と交差しておらず、前記上側部分は、前記撮像平面に交差する、ことと
を含む、方法。
（項目６７）
前記患者プラットフォームの縦軸と垂直な治療平面内で、マルチリーフコリメータに結合される治療放射線源から治療ビームを放出することと、前記下側部分が前記治療平面と交差しておらず、前記上側部分が前記治療平面に交差するように、前記上側部分および前記下側部分を移動させることとをさらに含む、項目６６に記載の方法。
（項目６８）
前記撮像平面の中へ前記上側部分を移動させることは、前記下側部分の前縁が前記撮像平面から離れた第１の距離に位置するように、前記下側部分を位置付けることを含む、項目６６に記載の方法。
（項目６９）
前記治療平面の中へ前記上側部分を移動させることは、前記下側部分の前縁が前記治療平面から離れた第２の距離に位置するように、前記下側部分を位置付けることを含む、項目６７に記載の方法。
（項目７０）
前記上側部分は、高エネルギー光子に対して実質的に透過性である第１の材料を含み、前記下側部分は、前記高エネルギー光子に対して実質的に不透過性である第２の材料を含む、項目６６に記載の方法。
（項目７１）
放射線療法患者プラットフォームシステムであって、
下側部分に結合される上側部分を備える放射線透過性患者プラットフォームと、
前記患者プラットフォームの前記下側部分に結合される基部と、
マルチリーフコリメータに結合される放射線源であって、前記放射線源は、前記患者プラットフォームの縦軸と垂直なビーム平面内で第１のビームを放出するように構成される、放射線源と、
前記下側部分に対して前記上側部分を移動させるように構成されるコントローラであって、前記下側部分は、前記ビーム平面と交差しておらず、前記上側部分は、前記ビーム平面に交差する、コントローラと
を備える、システム。
（項目７２）
放射線透過性患者プラットフォームを制御するための方法であって、
基部に結合される患者プラットフォームを提供することであって、前記患者プラットフォームは、上側部分と、前記上側部分に固定される下側部分とを備え、前記上側部分および前記下側部分は、異なる放射線透過性を備える、ことと、
前記基部に対して前記患者プラットフォームを移動させることと、
前記患者プラットフォームの縦軸と垂直な撮像平面内で撮像放射線源によって撮像ビームを放出することであって、前記下側部分は、前記撮像平面と交差しておらず、前記上側部分は、前記撮像平面に交差する、ことと
を含む、方法。
（項目７３）
前記患者プラットフォームの縦軸と垂直な治療平面内で、マルチリーフコリメータに結合される治療放射線源から治療ビームを放出することと、前記下側部分が前記治療平面と交差しておらず、前記上側部分が前記治療平面に交差するように、前記患者プラットフォームを移動させることとをさらに含む、項目７２に記載の方法。
（項目７４）
前記撮像平面の中へ前記上側部分を移動させることは、前記下側部分の前縁が前記撮像平面から離れた第１の距離に位置するように、前記下側部分を位置付けることを含む、項目７２に記載の方法。
（項目７５）
前記治療平面の中へ前記上側部分を移動させることは、前記下側部分の前縁が前記治療平面から離れた第２の距離に位置するように、前記下側部分を位置付けることを含む、項目７４に記載の方法。
（項目７６）
前記上側部分は、高エネルギー光子に対して実質的に透過性である第１の材料を含み、前記下側部分は、前記高エネルギー光子に対して実質的に不透過性である第２の材料を含む、項目７２に記載の方法。
（項目７７）
放射線療法患者プラットフォームシステムであって、
下側部分に固定される上側部分を備える放射線透過性患者プラットフォームと、
前記患者プラットフォームの前記下側部分に結合される基部と、
マルチリーフコリメータに結合される放射線源であって、前記放射線源は、前記患者プラットフォームの縦軸と垂直なビーム平面内で第１のビームを放出するように構成される、放射線源と、
前記基部に対して前記患者プラットフォームを移動させるように構成されるコントローラであって、前記下側部分は、前記ビーム平面と交差しておらず、前記上側部分は、前記ビーム平面に交差する、コントローラと
を備える、システム。
（項目７８）
第１のスイッチと、ドッキングポートとを備えるハンドヘルドコントローラをさらに備え、前記第１のスイッチは、移動信号を生成するように構成される、項目１に記載の患者プラットフォーム。
（項目７９）
前記第１のスイッチは、ボタン、アナログスティック、トラックボール、タッチスクリーン、指向性パッド、ジョグダイヤル、運動検出器、画像センサ、およびマイクロホンのうちの少なくとも１つを備える、項目７８に記載の患者プラットフォーム。
（項目８０）
前記患者プラットフォームへの前記コントローラの近接性を検出するように構成される近接性センサをさらに備え、前記患者プラットフォームは、前記移動信号および前記検出された近接性を使用して移動するように構成される、項目７８に記載の患者プラットフォーム。
（項目８１）
前記コントローラは、前記移動信号を出力する無線伝送機を備える、項目７８に記載の患者プラットフォーム。
（項目８２）
前記患者プラットフォームおよび前記コントローラに結合されるテザーをさらに備える、項目７８に記載の患者プラットフォーム。
（項目８３）
前記移動信号は、少なくとも４自由度の運動を制御する、項目７８に記載の患者プラットフォーム。
（項目８４）
第２のスイッチをさらに備える、項目７８に記載の患者プラットフォーム。
（項目８５）
前記第２のスイッチは、ステップスイッチである、項目８４に記載の患者プラットフォーム。
（項目８６）
前記コントローラは、前記第１および第２のスイッチのアクティブ化に応じて前記移動信号を出力するように構成される、項目７８に記載の患者プラットフォーム。
（項目８７）
前記コントローラは、前記第２のスイッチと、筐体とを備え、前記第１のスイッチは、前記筐体の第１の側面上に提供され、前記第２のスイッチは、前記第１の側面と反対側の前記筐体の第２の側面上に提供される、項目７８に記載の患者プラットフォーム。
（項目８８）
基部に結合されるヒンジと、前記ヒンジに結合されるヘッドレストと、前記ヘッドレストに結合される駆動システムとを備える、頭部固定をさらに備え、前記駆動システムは、前記基部と略垂直に延在するように構成され、前記ヘッドレストおよび前記駆動システムはそれぞれ、高エネルギー光子に対して実質的に透過性である放射線透過性材料を含む、項目１に記載のシステム。
（項目８９）
前記駆動システムは、空気圧式要素を備える、項目８８に記載のシステム。
（項目９０）
前記駆動システムは、電気機械要素を備える、項目８８に記載のシステム。
（項目９１）
前記駆動システムに結合されるアクチュエータをさらに備え、前記アクチュエータは、前記患者プラットフォームの第１の端部に結合される、項目８８に記載のシステム。
（項目９２）
前記ヒンジは、ロックを備え、前記ロックは、複数の戻り止めと、ピンとを備える、項目８８に記載のシステム。
（項目９３）
放射線療法患者プラットフォームに対して患者の頭部を位置付ける方法であって、
患者の頭部を頭部固定デバイスに結合することであって、前記頭部固定デバイスは、ヒンジによってヘッドレストに結合される基部と、前記ヘッドレストに結合されるヘッドレスト駆動システムとを備える、ことと、
前記駆動システムを前記基部と略垂直に延在させることと、
を含む、方法。
（項目９４）
前記基部に対して前記ヘッドレストを係止することをさらに含む、項目９３に記載の方法。
（項目９５）
患者胴体および患者肩のうちの少なくとも１つを前記基部に結合することをさらに含む、項目９３に記載の方法。
（項目９６）
前記基部に対して前記ヘッドレストを傾斜させ、向きを変えることをさらに含む、項目９３に記載の方法。
（項目９７）
頸部撓曲に応答して、前記ヒンジを中心として前記ヘッドレストを枢動させることをさらに含む、項目９３に記載の方法。